(57)【要約】【課題】構造が簡単であって軽量且つ安価な寒冷紗巻取り機を提供する。【解決手段】下端に車輪（３）を備えた台車（１）の後部には寒冷紗押さえバー（１７）を高さ調節自在に台車の左右方向に配設すると共に該寒冷紗押えバーの上方には巻取りロール（２７）を回転自在且つ着脱自在に台車の左右方向に配設し、該台車の後部には該巻取りロールを回転させるための手回しハンドル（３５）と該台車の舵取りハンドル（３７）とを備えさせたことを特徴とする寒冷紗巻取り機。寒冷紗押えバー（１７）は後方に膨出したアーチ状となし又は該寒冷紗押えバーの後縁には後方に膨出したアーチ状バー（２５）を付設する。【選択図】図１
2004298141.tif 000002
【特許請求の範囲】
【請求項１】
下端に車輪を備えた台車の後部には寒冷紗押さえバーを高さ調節自在に台車の左右方向に配設すると共に該寒冷紗押えバーの上方には巻取りロールを回転自在且つ着脱自在に台車の左右方向に配設し、該台車の後部には該巻取りロールを回転させるための手回しハンドルと該台車の舵取りハンドルとを備えさせたことを特徴とする寒冷紗巻取り機。
【請求項２】
前記寒冷紗押えバーは後方に膨出したアーチ状となしたことを特徴とする請求項１に記載の寒冷紗巻取り機。
【請求項３】
前記寒冷紗押えバーの後縁には後方に膨出したアーチ状バーを付設したことを特徴とする請求項１に記載の寒冷紗巻取り機。
【請求項４】
前記手回しハンドルの軸は台車の前後方向に配設されていることを特徴とする請求項１〜３のいずれかに記載の寒冷紗巻取り機。
【請求項５】
前記台車の上部を積載部としたことを特徴とする請求項１〜４のいずれかに記載の寒冷紗巻取り機。
【請求項６】
台車の車輪に茶園での移動を容易ならしめるためのカバーを取り付けたことを特徴とする請求項１〜５のいずれかに記載の寒冷紗巻取り機。
【請求項７】
台車の左右方向の幅は調節自在であることを特徴とする請求項１〜６のいずれかに記載の寒冷紗巻取り機。
【請求項８】
台車は高さ調節自在であることを特徴とする請求項１〜７のいずれかに記載の寒冷紗巻取り機。
【発明の詳細な説明】
【０００１】
【発明の属する技術分野】
本発明は茶園における茶樹上に張設された寒冷紗を巻き取るための寒冷紗巻取り機に関するものである。
【０００２】
【従来の技術】
このような寒冷紗巻取り機としては、駆動手段により自動走行する台車の前部に駆動手段により回転する巻取りパイプを備えさせ、茶園上に張設された寒冷紗の端縁を該巻取りパイプに係止させた状態で該巻取りパイプを駆動手段により回転させつつ該台車を茶園上にて駆動手段により走行させることにより、寒冷紗を該巻取りパイプに巻き取るようにしてなるものが既に使用されている。
【０００３】
なお、本出願人はこのような寒冷紗巻取り機に関する先行技術文献情報を有しない。
【０００４】
【発明が解決しようとする課題】
茶園上に張設される寒冷紗は、一般に長さ５０メートル、幅２〜２．３メートルの大型のシート状体である。従って、駆動手段により自動走行する台車の前部に駆動手段により回転する巻取りパイプを備えさせてなる上記従来の寒冷紗巻取り機は、大型であって重量も大きいため取り扱いや運搬が困難であると共に、構造が複雑であって高価なものにならざるを得ない。また、このような従来の寒冷紗巻取り機においては、巻取りパイプの両端に細い丸棒を突設し、該丸棒に寒冷紗の先端を係止した状態で該寒冷紗を巻取りパイプに巻き取るようにしているため、寒冷紗を巻取りパイプに巻き取った後、該巻取りパイプを寒冷紗から抜き取ることができない。換言すれば、巻き取られた各寒冷紗は次に茶園に張設されるまでの間、該寒冷紗の中央孔に巻取りパイプを挿入した状態のまま保管しなければならない。その結果、寒冷紗毎に１本の巻取りパイプが必要となり、極めて不経済である。
【０００５】
本発明は、上記従来の寒冷紗巻取り機における上述の如き問題を解決し、構造が簡単であって軽量且つ安価な寒冷紗巻取り機を提供しようとしてなされたものである。
【０００６】
【課題を解決するための手段】
上記課題を解決するために、本発明は下記の寒冷紗巻取り機を提供するものである。
【０００７】
（１）下端に車輪を備えた台車の後部には寒冷紗押さえバーを高さ調節自在に台車の左右方向に配設すると共に該寒冷紗押えバーの上方には巻取りロールを回転自在且つ着脱自在に台車の左右方向に配設し、該台車の後部には該巻取りロールを回転させるための手回しハンドルと該台車の舵取りハンドルとを備えさせたことを特徴とする寒冷紗巻取り機（請求項１）。
【０００８】
（２）前記寒冷紗押えバーは後方に膨出したアーチ状となす（請求項２）。
【０００９】
（３）前記（１）の寒冷紗押えバーの後縁には後方に膨出したアーチ状バーを付設する（請求項３）
【００１０】
（４）前記手回しハンドルの軸は台車の前後方向に配設されている（請求項４）。
【００１１】
（５）台車の上部を積載部とする（請求項５）。
【００１２】
（６）台車の車輪に茶園での移動を容易ならしめるためのカバーを取り付ける（請求項６）。
【００１３】
（７）台車の左右方向の幅は調節自在である（請求項７）。
【００１４】
（８）台車は高さ調節自在である（請求項８）。
【００１５】
特許請求の範囲を含む本明細書において「後」とは寒冷紗巻取り機が寒冷紗を巻き取る際に該寒冷紗巻取り機が進行する方向とは逆の方向、即ち、図１における左方をいう。特許請求の範囲を含む本明細書において［前］とは寒冷紗巻取り機が寒冷紗を巻き取る際に該寒冷紗巻取り機が進行する方向、即ち、図１における右方をいう。特許請求の範囲を含む本明細書において「左右方向」とは寒冷紗巻取り機が寒冷紗を巻き取る際に該寒冷紗巻取り機が進行する方向と直角の水平方向をいう。
【００１６】
【作用】
［請求項１の発明］
茶園上に張設された寒冷紗を寒冷紗巻取り機により巻き取る際には、茶園上に張設された寒冷紗の地上からの高さに応じて寒冷紗押えバーの高さを調節した後、寒冷紗の端部を台車の前方より寒冷紗押えバーの下方に引き寄せ、更に該端部を該寒冷紗押えバーの後側より該寒冷紗押えバー上方の巻取りロールに至らしめ、該寒冷紗の端縁を該巻取りロールに係止させる。この状態で手回しハンドルにより巻取りロールを所定の方向に回転させて該寒冷紗を巻取りロールに巻取りつつ舵取りハンドルを押して寒冷紗巻取り機を前進させるのである。このとき、舵取りハンドルを押す作業者は寒冷紗を茶樹等に固定している止め具を取り外しつつ寒冷紗巻取り機を前進させる。寒冷紗巻取り機の進行方向は舵取りハンドルにより制御される。なお、茶園上に張設される寒冷紗の地上からの高さは、茶樹の高さに応じて種々に異なる。
【００１７】
以上の如く寒冷紗を巻取りロールに巻き終えたら寒冷紗巻取り機の前進を停止させる。続いて、手回しハンドルを前記と逆の方向に若干回転させることにより寒冷紗を巻取りロールから緩めた状態で巻取りロールを寒冷紗と共に台車から取り外し、該巻取りロールを寒冷紗から抜き取る。以上により、寒冷紗はロール状に巻かれた状態となる。この寒冷紗を適宜紐等により縛って保管する。
【００１８】
続いて、巻取りロールを再び寒冷紗巻取り機における元に位置に戻し、次の寒冷紗を同様に巻き取るのである。
【００１９】
なお、ロール状に巻かれた寒冷紗の中央孔に巻取りロールよりも小径の張設用パイプを挿入した状態で該張設用パイプを寒冷紗と共に寒冷紗巻取り機における所定の位置に配設し、寒冷紗の先端を引き出し、該寒冷紗を寒冷紗押さえバーにより押えさせ、該寒冷紗の先端を寒冷紗巻取り機の後方における茶園に固定した状態で舵取りハンドルを押して寒冷紗巻取り機を前進させることにより、寒冷紗を巻取りロールから繰り出して寒冷紗を茶園上に張設することができる。このとき、作業員は舵取りハンドルを押して寒冷紗巻取り機を前進させつつ、寒冷紗を止め具により茶樹等に固定するのである。因みに、ロール状に巻かれた状態で保管されていた寒冷紗の中央孔は該寒冷紗から巻取りロールを抜き取ったときよりも小さくなっているため、該中央孔に巻取りロールを挿入することは困難である。従って、該巻取りロールよりも小径の張設用パイプを巻取りロールとは別に用意し、該張設用パイプを該寒冷紗の中央孔に挿入するのである。
【００２０】
［請求項２の発明］
寒冷紗押えバーは後方に膨出したアーチ状をなすため、茶園上に張設された寒冷紗を前述の如く寒冷紗巻取り機により巻き取る際にアーチ状の寒冷紗押えバーが寒冷紗の両側縁を外方に伸ばす働きをなす。図３の矢印参照。従って、巻取りロールに巻き取られる寒冷紗にシワが生ずることが防止される。
【００２１】
［請求項３の発明］
アーチ状バーは茶園上に張設された寒冷紗を前述の如く寒冷紗巻取り機により巻き取る際に使用され、請求項２のアーチ状の寒冷紗押えバーと同様の作用をなす。該アーチ状バー前方の寒冷紗押えバーは、寒冷紗巻取り機により寒冷紗を繰り出す際に該寒冷紗を押えるものである。
【００２２】
［請求項４の発明］
手回しハンドルの軸が台車の前後方向に配設されているため、手回しハンドルは該軸を回転中心として台車の前後方向と直角の方向に回転させることができる。従って、舵取りハンドルを操作しつつ手回しハンドルを容易に回転させることができる。
【００２３】
［請求項５の発明］
台車上部の積載部にはロール状に巻かれた寒冷紗等を載置する。この積載部にはワラ、カヤ、茶袋、肥料等を載置することもできる。換言すれば、寒冷紗巻取り機はワラ、カヤ、茶袋、肥料等の運搬車として使用することも可能である。
【００２４】
［請求項６の発明］
茶樹には多数の小枝が突出しているが、台車の車輪にカバーを取り付けているため、茶樹の小枝が車輪に絡みつくことが防止され、台車は茶園内を円滑に移動することができる。
【００２５】
［請求項７の発明］
台車の左右方向の幅は、茶園における茶樹の植幅等の状況に応じて、調節自在である。
【００２６】
［請求項８の発明］
台車は、茶園における茶樹の高さ等の状況に応じて、高さ調節自在である。
【００２７】
【発明の実施の形態】
次に、本発明の実施の形態を添付図面に従って説明する。
【００２８】
符号１に示すものは寒冷紗巻取り機の台車である。台車１は下端に車輪３、３・・・を備えている。台車１はアルミニウムパイプ等の軽量部材によりフレーム状に形成されている。
【００２９】
台車１の車輪３、３・・・には茶園での移動を容易ならしめるためのカバー５、５を取り付ける。
【００３０】
台車１の上部を積載部７とする。積載部７は、一例として図３に示す如く複数本のアルミニウムパイプ９、９・・・により棚状に形成されている。図１における符号１１に示すものは積載物の落下を防止するために積載部７に付設されたアルミニウムパイプ等による落下防止手段である。図１においては、積載部７上にロール状に巻かれた寒冷紗ロール１３が載置されている。なお、符号１５に示すものは茶園上に張設された寒冷紗である。
【００３１】
台車１の後部には寒冷紗押さえバー１７を高さ調節自在に台車１の左右方向に配設する。
【００３２】
寒冷紗押さえバー１７を台車１の後部に高さ調節自在に配設する際には、一例として、寒冷紗押さえバー１７を一対の垂直杆１９、１９の下端に取り付け、台車１の後部には各垂直杆１９に対応する中空杆２１を上下方向に取り付け、各中空杆２１にはねじ等の固定手段２３を備えさせ、各垂直杆１９を各中空杆２１に挿入し、各垂直杆１９を所望の高さにて固定手段２３により固定するようになす。図１、図２、図５参照。
【００３３】
寒冷紗押えバー１７は後方に膨出したアーチ状となしてもよいが、寒冷紗押えバー１７の後縁には後方に膨出した別のアーチ状バー２５を付設してもよい。
【００３４】
換言すれば、寒冷紗押さえバー１７自体を後方に膨出したアーチ状となしてもよいが、図示の事例に示す如く寒冷紗押えバー１７の後縁に別のアーチ状バー２５を付設してもよい。
【００３５】
寒冷紗押えバー１７の上方には巻取りロール２７を回転自在且つ着脱自在に台車１の左右方向に配設する。
【００３６】
巻取りロール２７を回転自在且つ着脱自在に台車１に配設する際には、一例として図７に示すように、略Ｕ字状の切欠部２９を有する左右一対の支持体３１を台車１に備えさせ、各支持体３１の切欠部２９に巻取りロール２７の各端を載置する。
【００３７】
図７、図６に示す事例においては、略Ｕ字状の切欠部２９を有するポリエチレン等の合成樹脂製の切欠部構成体３２を各支持体３１内に嵌着している。
【００３８】
巻取りロール２７の側縁には一対の補助ロール３３、３３を取り付ける。図８参照。巻取りロール２７の側縁に一対の補助ロール３３、３３を取り付けたときには、寒冷紗１５を巻取りロール２７に巻き取る際に寒冷紗１５を絡めるようにして巻き取ることができ、寒冷紗１５の滑りが防止される。
【００３９】
更に、台車１の後部には巻取りロール２７を回転させるための手回しハンドル３５と該台車１の舵取りハンドル３７とを備えさせる。
【００４０】
手回しハンドル３５の軸３９は台車１の前後方向に配設されている。
【００４１】
図６に示す事例においては、手回しハンドル３５の回転は伝動手段３８を介して巻取りロール２７に伝えられる。即ち、台車１の前後方向に配設された手回しハンドル３５の軸３９に第一プーリー４１を固定し、台車１には巻取りロール２７と平行な支軸４３を備えさせ、該支軸４３には第一プーリー４１に対応する第二プーリー４５を固定し、第一プーリー４１と第二プーリー４５との間にはＶベルト等のベルト４７を巻き掛け、支軸４３には第一歯車４９を固定し、巻取りロール２７の端部２７ａには第二歯車５１を固定し、該第一歯車４９と第二歯車５１とを相互に噛合させる。因みに、この事例においては、ベルト４７は９０度ねじった状態で第一プーリー４１と第二プーリー４５とに巻き掛けられている。なお、この事例においては、手回しハンドル３５は台車１の後部における一方の側に設けられている。
【００４２】
上記図６に示す事例においては、手回しハンドル３５を回転させると、第一プーリー４１が回転し、第一プーリー４１の回転はベルト４７を介して第二プーリー４５に伝えられる。第二プーリー４５が回転すると第一歯車４９が回転し、該第一歯車４９に噛合している第二歯車５１が回転する。従って、巻取りロール２７が回転する。なお、この事例において、巻取りロール２７を略Ｕ字状の切欠部２９を有する左右一対の支持体３１から取り外す際には、第二歯車５１が第一歯車４９から外れる。
【００４３】
台車１の舵取りハンドル３７は台車１の後部に左右一対設けられている。
【００４４】
図示の事例においては、台車１の一方の側において支持体３１と中空杆２１とを支持する支持部材５３は巻取りロール２７を含む台車１に対し左右方向に位置調節自在であり、垂直杆１９は寒冷紗押さえバー１７に対し左右方向に位置調節自在である。また、台車１の他方の側において手回しハンドル３５と伝動手段３８と支持体３１と中空杆２１とを支持する支持部材５５は巻取りロール２７を含む台車１に対し左右方向に位置調節自在であり、垂直杆１９は寒冷紗押さえバー１７に対し左右方向に位置調節自在である。換言すれば、台車１の左右方向の幅は、茶園における茶樹５２の植幅等の状況に応じて、調節自在である。
【００４５】
即ち、一例として図９に示すように、支持部材５３、５５には水平杆５９を設け、該水平杆５９を台車１の対応中空杆６１内に挿入し、該対応中空杆６１に備えさせたねじ等の固定手段６２により該水平杆５９を対応中空杆６１内における所望の位置にて固定するようになす。略Ｕ字状の切欠部２９を有する一方の支持体３１に対し巻取りロール２７が左右方向に位置調節自在であることはいうまでもない。
【００４６】
また、車輪３、３・・・の支持杆６３は台車１の対応杆６５に対して高さ調節自在である。換言すれば、台車１は、茶園における茶樹５２の高さ等の状況に応じて、高さ調節自在である。
【００４７】
即ち、一例として図１０に示すように、車輪３、３・・・の支持杆６３を台車１の対応中空杆６５内に挿入し、該対応中空杆６５に備えさせたねじ等の固定手段６７により該支持杆６３を対応中空杆６５内における所望の位置にて固定するようになす。
【００４８】
台車１は運搬を容易ならしめるために、組立・分割自在ないし折り畳み自在に構成することが望ましい。
【００４９】
【発明の効果】
［請求項１の発明］
請求項１の発明による寒冷紗巻取り機は、作業員が手回しハンドルにより巻取りロールを所定の方向に回転させて寒冷紗を巻取りロールに巻取りつつ舵取りハンドルを押して寒冷紗巻取り機を前進させるようにしている。従って、この寒冷紗巻取り機は軽量であって取り扱いや運搬が容易であり、また、構造も簡単であるため安価に提供することができる。更に、作業員は台車の後側にて台車を押しながら寒冷紗を茶樹等に固定している止め具を取り外すことができる。即ち、台車の前方に作業員を配置する必要はない。茶園上に張設される寒冷紗の地上からの高さは茶樹の高さに応じて種々に異なるのであるが、寒冷紗の地上からの高さに応じて寒冷紗押えバーの高さを調節することができる。
【００５０】
巻取りロールは台車から取り外すことができるため、寒冷紗を巻取りロールに巻き取った後、巻取りロールを寒冷紗と共に台車から取り外し、該巻取りロールを寒冷紗から抜き取り、巻取りロールを再び寒冷紗巻取り機における元に位置に戻して次の寒冷紗を巻き取ることができる。換言すれば、多数本の寒冷紗を巻き取る際にも巻取りロールは１本で済むため、コスト面でも有利である。
【００５１】
なお、寒冷紗巻取り機を用いることにより、寒冷紗を巻取りロールから繰り出して寒冷紗を茶園上に張設することができる。
【００５２】
［請求項２の発明］
寒冷紗押えバーは後方に膨出したアーチ状をなすため、茶園上に張設された寒冷紗を前述の如く寒冷紗巻取り機により巻き取る際にアーチ状の寒冷紗押えバーが寒冷紗の両側縁を外方に伸ばす働きをなす。従って、巻取りロールに巻き取られる寒冷紗にシワが生ずることが防止される。
【００５３】
［請求項３の発明］
アーチ状バーは茶園上に張設された寒冷紗を前述の如く寒冷紗巻取り機により巻き取る際に使用され、請求項２のアーチ状の寒冷紗押えバーと同様の効果を発揮する。該アーチ状バー前方の寒冷紗押えバーは、寒冷紗巻取り機により寒冷紗を繰り出す際に使用することができる。
【００５４】
［請求項４の発明］
手回しハンドルの軸が台車の前後方向に配設されているため、手回しハンドルは該軸を回転中心として台車の前後方向と直角の方向に回転させることができる。従って、舵取りハンドルを操作しつつ手回しハンドルを容易に回転させることができる。
【００５５】
［請求項５の発明］
台車上部の積載部にはロール状に巻かれた寒冷紗の他、ワラ、カヤ、茶袋、肥料等を載置することもできる。換言すれば、寒冷紗巻取り機はワラ、カヤ、茶袋、肥料等の運搬車として使用することも可能である。
【００５６】
［請求項６の発明］
茶樹には多数の小枝が突出しているが、台車の車輪にカバーを取り付けているため、茶樹の小枝が車輪に絡みつくことが防止され、台車は茶園内を円滑に移動することができる。
【００５７】
［請求項７の発明］
台車の左右方向の幅は、茶園における茶樹の植幅等の状況に応じて、調節することができる。
【００５８】
［請求項８の発明］
台車は、茶園における茶樹の高さ等の状況に応じて、高さを調節することができる。
【図面の簡単な説明】
【図１】本発明による寒冷紗巻取り機の一例を示す側面図である。
【図２】同上寒冷紗巻取り機の背面図である。
【図３】同上寒冷紗巻取り機の平面図である。
【図４】車輪のカバーを示す断面図である。
【図５】寒冷紗押さえバーの高さを調節する手段の一例を示す断面図である。
【図６】手回しハンドルの回転を巻取りロールに伝える伝動手段の一例を示す背面図である。
【図７】巻取りロールと支持体とを示す側面図である。
【図８】巻取りロールと補助ロールとを示す断面図である。
【図９】台車の左右方向の幅を調節自在ならしめる手段の一例を示す断面図である。
【図１０】台車の高さを調節自在ならしめる手段の一例を示す断面図である。
【符号の説明】
１  台車
３  車輪
５  カバー
７  積載部
９  アルミニウムパイプ
１１  落下防止手段
１３  寒冷紗ロール
１５  寒冷紗
１７  寒冷紗押さえバー
１９  垂直杆
２１  中空杆
２３  固定手段
２５  アーチ状バー
２７  巻取りロール
２７ａ  端部
２９  切欠部
３１  支持体
３２  切欠部構成体
３３  補助ロール
３５  手回しハンドル
３７  舵取りハンドル
３８  伝動手段
３９  軸
４１  第一プーリー
４３  支軸
４５  第二プーリー
４７  ベルト
４９  第一歯車
５１  第二歯車
５２  茶樹
５３  支持部材
５５  支持部材
５９  水平杆
６１  対応中空杆
６２  固定手段
６３  支持杆
６５  対応杆
６７  固定手段
【図１】
2004298141.tif 000003
【図２】
2004298141.tif 000004
【図３】
2004298141.tif 000005
【図４】
2004298141.tif 000006
【図５】
2004298141.tif 000007
【図６】
2004298141.tif 000008
【図７】
2004298141.tif 000009
【図８】
2004298141.tif 000010
【図９】
2004298141.tif 000011
【図１０】
2004298141.tif 000012